(57)【要約】【課題】非常に優れた滑り止め作用を有し、しかも滑って欲しくない方向に対して大きな滑り止め作用を発揮することができる鞄用肩ベルトを提供する。【解決手段】ＪＩＳ−Ａ硬度が４５〜８０度の弾性重合体からなる滑り止め部材１を、ベルト本体２の使用者の身体に接する側になるようにして装着したものとしている。さらに、前記滑り止め部材１は、使用者の身体との接触面の表面粗さを３０μｍ以下にしている。また、前記滑り止め部材１は、滑って欲しくない方向の反対に屈曲させた複数のリブ６を表面に形成したものとしている。【選択図】図１
2009142485.tif 000002
【特許請求の範囲】
【請求項１】
ＪＩＳ−Ａ硬度が４５〜８０度の弾性重合体からなる滑り止め部材（１）を、ベルト本体（２）の使用者の身体に接する側になるようにして装着したことを特徴とする鞄用肩ベルト。
【請求項２】
前記滑り止め部材（１）の使用者の身体との接触面の表面粗さを３０μｍ以下にしたことを特徴とする請求項１記載の鞄用肩ベルト。
【請求項３】
前記滑り止め部材（１）を、滑って欲しくない方向の反対に屈曲させた複数のリブ（６）を表面に形成したものとしたことを特徴とする請求項１又は２記載の鞄用肩ベルト。
【請求項４】
前記リブ（６）を、板状体（７）との付け根部を太くした補強部（８）を形成したものとしたことを特徴とする請求項３記載の鞄用肩ベルト。
【発明の詳細な説明】
【技術分野】
【０００１】
この発明は、ランドセルやリュックサック等の背負い鞄、学生鞄やビジネスバッグ等のショルダーバッグ、その他各種の鞄用肩ベルトに関するものである。
【背景技術】
【０００２】
従来、この種の鞄用肩ベルトとしては、例えば図１２、１３に示したような、ランドセル用の肩ベルトが存在する。この肩ベルトは、伸縮性を有する表生地１１と使用者の身体に接する側に位置する通気性を有するクッション材１２とからなる環状帯体１３を着脱自在に装着したものとしている（特許文献１）。
【０００３】
このような肩ベルトでは、環状帯体１３の身体に接する側にクッション材１２が位置しているため、ランドセルを背負ったときの肩の痛みをなくすことができ、さらにそのクッション材１２が通気性を有するためムレにくく、また環状帯体１３が着脱自在であるため、この環状帯体１３が傷んだり、汚れたりした場合に新しい別の環状帯体に取り替えることも可能であるとしている。
【０００４】
さらに、この種の鞄用肩ベルトは、図１４、１５に示したように、ショルダーバッグ用の肩ベルトが存在する。この肩ベルトは、ベルト本体２１の略中央部一帯の両面に適宜間隔をおいて滑り止め部材２２を複数個連設したものが存在する。この滑り止め部材２２は、ゴム又は合成樹脂等からなっており、長方形状の突出体や円形の突出体、その他適宜形状の突出体として実施することができるものとしている（特許文献２）。
【０００５】
このような肩ベルトでは、滑り止め部材２２の間隔を狭くしたり広くしたりすることや、幅を細くしたり太くしたりすることにより、滑り止め部材２２を連設している部分の屈曲度を調節することができるとしている。
【特許文献１】特開２００２−２８２０３０号公報（第２頁、図２、図３）
【特許文献２】実開昭６１−２５８２４号公報（第１頁、第１図、第４図）
【発明の開示】
【発明が解決しようとする課題】
【０００６】
ところで、この種の鞄用肩ベルトにおいては、例えばランドセル用の肩ベルトにおいては特に使用者の肩の後方向、ショルダーバッグ用の肩ベルトにおいては特に使用者の肩の左右の外方向というように、滑って欲しくない方向に滑ってずれるのを阻止する必要がある。
【０００７】
しかしながら、図１２、１３に示したような従来の鞄用肩ベルトでは、クッション性や通気性に優れているとはいっても滑り止め作用についてはまったく不充分であるという問題点を有していた。
【０００８】
さらに、図１４、１５に示したような従来の鞄用肩ベルトでは、滑り止め作用を有するとはいえ、その滑り止め作用はいまだ不充分であり、また使用者の肩の前後方向または左右の内外方向のいずれに対してもその滑り止め作用には特に差がなかったので、滑って欲しくない方向に対して大きな滑り止め作用を発揮することができないという問題点を有していた。
【０００９】
そこで、この発明は、上記従来の問題点を解決するものであり、非常に優れた滑り止め作用を有し、しかも滑って欲しくない方向に対して大きな滑り止め作用を発揮することができる鞄用肩ベルトを提供することを目的としてなされたものである。
【課題を解決するための手段】
【００１０】
この発明の鞄用肩ベルトは、ＪＩＳ−Ａ硬度が４５〜８０度の弾性重合体からなる滑り止め部材１を、ベルト本体２の使用者の身体に接する側になるようにして装着したものとしている。
【００１１】
そして、この発明の鞄用肩ベルトは、前記滑り止め部材１の使用者の身体との接触面の表面粗さを３０μｍ以下にしている。
【００１２】
さらに、この発明の鞄用肩ベルトは、前記滑り止め部材１を、滑って欲しくない方向の反対に屈曲させた複数のリブ６を表面に形成したものとしている。
【００１３】
また、この発明の鞄用肩ベルトは、前記リブ６を、板状体７との付け根部を太くした補強部８を形成したものとしている。
【発明の効果】
【００１４】
この発明の鞄用肩ベルトは、以上に述べたように構成されているので、非常に優れた滑り止め作用を有し、しかも滑って欲しくない方向に対して大きな滑り止め作用を発揮し、鞄を背負ったり、肩に掛けたりするのに適した位置からずれないようにすることができるものとなり、その鞄を重く感じたりすることなく背負ったり、肩に掛けたりすることができるものとなる。
【発明を実施するための最良の形態】
【００１５】
以下、この発明の鞄用肩ベルトを実施するための最良の形態を、図面に基づいて詳細に説明する。
【００１６】
この発明の鞄用肩ベルトは、例えば図１〜６に示したように、ランドセル用の肩ベルトとして実施したり、例えば図７〜１０に示したように、ショルダーバッグ用の肩ベルトとして実施することができる。
【００１７】
これらの肩ベルトは、いずれもＪＩＳ−Ａ硬度が４５〜８０度の弾性重合体からなる滑り止め部材１を、ベルト本体２の使用者の身体に接する側になるようにして装着したものとしている。滑り止め部材１の硬度をこのような範囲にすることにより、鞄用肩ベルトとして優れた滑り止め作用を有するものとなる。
【００１８】
さらに、前記滑り止め部材１は、使用者の身体との接触面の表面粗さを３０μｍ以下にしている。滑り止め部材１の接触面をこのような表面粗さにすると共に、滑り止め部材１の硬度を前記範囲にすることにより、鞄用肩ベルトとしてより優れた滑り止め作用を有するものとなる。
【００１９】
滑り止め部材１の素材としては、天然ゴムや合成ゴム等が挙げられる。合成ゴムとしては、スチレンーブタジエンゴム、ブタジエンゴム、アクリロニトリルーブタジエンゴム、クロロプレンゴム、エチレンープロピレンゴム、ブチルゴム、アクリルゴム、クロロスルホン化ポリエチレンゴム、シリコーンゴム、フッ素ゴム等が挙げられ、これらのうちのＪＩＳ−Ａ硬度が４５〜８０度の弾性重合体が選択される。
【００２０】
図１〜６に示した肩ベルトは、上層体３ａと下層体３ｂ、これらの間に挟まれたクッション材４から構成されている。そして、滑り止め部材１は、下層体３ｂの表面に貼り付けられたり、下層体３ｂに形成された孔５から突出され、その周囲を下層体３ｂとクッション材４の間に挟み込み、下層体３ｂに縫着するなどして、ベルト本体２に取り付けられている。
【００２１】
前記滑り止め部材１は、ＪＩＳ−Ａ硬度が４５〜８０度の弾性重合体であれば、図１、２に示したような平滑な接触面を有したものでも、図示していないが凹凸形状等の平滑でない接触面を有したものであってもよい。さらに、この滑り止め部材１は、図３〜６に示したような、滑って欲しくない方向の反対に屈曲させた複数のリブ６を表面に形成したものとするのが好ましい。
【００２２】
図３、４に示した滑り止め部材１は、複数のリブ６を下方向に屈曲したものとし、これら複数のリブ６を、使用者の肩頂部にベルト本体２が接触する部分より後ろの部分に縦に二列配列すると共に、複数のリブ６を下方向に屈曲したものとし、これら複数のリブ６を、使用者の肩頂部にベルト本体２が接触する部分より前の部分に縦に二列配列したものとしている。
【００２３】
図５、６に示した滑り止め部材１は、複数のリブ６を内方向に屈曲したものとし、これら複数のリブ６を、使用者の肩頂部にベルト本体２が接触する部分より後ろの部分に横に七列配列すると共に、複数のリブ６を内方向に屈曲したものとし、これら複数のリブ６を、使用者の肩頂部にベルト本体２が接触する部分より前の部分に横に七列配列したものとしている。
【００２４】
前記リブ６は、図示したものでは、滑って欲しくない方向の反対の方向に角状に屈曲したものとしているが、滑って欲しくない方向の反対の方向に円弧状に屈曲させたものとしてもよい。
【００２５】
そして、前記リブ６は、図３、４に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態ではそれぞれ縦方向の寸法を約８〜１０ｃｍ、横方向の寸法を約２〜３ｃｍとしている。前記リブ６をこのようにすれば、ランドセルを背負った場合に、前記リブ６が使用者の肩頂部の前後に接触し、肩の後方向に肩ベルトが滑ってずれるのをより阻止することができる。
【００２６】
また、前記リブ６は、図５、６に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態ではそれぞれ縦方向の寸法を約８〜１０ｃｍ、横方向の寸法を約２〜３ｃｍとしている。前記リブ６をこのようにすれば、ランドセルを背負った場合に、前記リブ６が使用者の肩頂部の前後に接触し、肩の左右の外方向に肩ベルトが滑ってずれるのをより阻止することができる。
【００２７】
図７〜１０に示した肩ベルトは、ベルト本体２を布地や皮革地等からなる一層の帯状としている。そして、滑り止め部材１は、このベルト本体２の下面に直接貼り付けられたり、図９、１０に示したように、板状体７の表面の両端に設けられたベルト挿入部７ａにベルト本体２を通すことにより、このベルト本体２に取り付けられている。この滑り止め部材１は、図７に示したような平滑な接触面を有したものでも、図示していないが凹凸形状等の平滑でない接触面を有したものであってもよい。さらに、この滑り止め部材１は、図８、１０に示したような、板状体７の使用者の身体に接する面の長手方向における中央部に向かって屈曲させた複数のリブ６を、前記中央部から外側に向かってそれぞれ二列に配列したものとしている。
【００２８】
前記リブ６は、図示したものでは、滑って欲しくない方向の反対の方向に角状に屈曲したものとしているが、滑って欲しくない方向の反対の方向に円弧状に屈曲させたものとしてもよい。
【００２９】
そして、前記リブ６は、図１０に示したように配列したものでは、その一つ一つの寸法は、長さを約１〜２ｃｍ、幅を約１〜２ｍｍ、高さを約１〜２ｍｍ、曲げ角度を約１１０〜１３０度としており、複数を配列した状態では縦方向の寸法を約８〜１０ｃｍ、横方向の寸法を約２〜３ｃｍとしている。前記リブ６をこのようにすれば、ショルダーバッグを肩に掛けた場合に、前記リブ６が使用者の肩頂部の前後に接触し、肩の前後方向にショルダーベルトが滑ってずれるのをより阻止することができる。
【００３０】
なお、前記滑り止め部材１は、ショルダーバッグを肩に掛けた場合に、ショルダーベルトが肩の外方向に滑ってずれるのをより阻止するには、図示していないが、前記複数のリブ６を板状体７の使用者の身体に接する面の幅方向において、それぞれ肩の内方向に向かって屈曲させたものとすればよい。
【００３１】
さらに、前記滑り止め部材１のリブ６は、板状体７との付け根部を太くした補強部８を形成したものとすることができる。この補強部８は、例えば図１１に示したように、板状体７との付け根部に、板状体７側に向けて広げた突出部とすることができる。このようにすると、肩ベルトが滑ってずれるのを阻止するときに、前記リブ１が倒れて使用者の肩との接触面が小さくなるようなことがなく、滑り止め効果が低下することはない。
【図面の簡単な説明】
【００３２】
【図１】この発明の鞄用肩ベルトをランドセル用肩ベルトとした場合の一実施形態を示す斜視図である。
【図２】図１に示したこの発明の鞄用肩ベルトへの滑り止め部材の取り付け方を示す説明図である。
【図３】この発明の鞄用肩ベルトをランドセル用肩ベルトとした場合の他の実施形態を示す斜視図である。
【図４】図３に示したこの発明の鞄用肩ベルトへの滑り止め部材の取り付け方を示す説明図である。
【図５】この発明の鞄用肩ベルトをランドセル用肩ベルトとした場合のさらに他の実施形態を示す斜視図である。
【図６】図５に示したこの発明の鞄用肩ベルトへの滑り止め部材の取り付け方を示す説明図である。
【図７】この発明の鞄用肩ベルトをショルダーバッグ用肩ベルトとした場合の一実施形態を示す斜視図である。
【図８】この発明の鞄用肩ベルトをショルダーバッグ用肩ベルトとした場合の他の実施形態を示す斜視図である。
【図９】図８に示したこの発明の鞄用肩ベルトの滑り止め部材を表面側から見た状態を示す斜視図である。
【図１０】図８に示したこの発明の鞄用肩ベルトの滑り止め部材を裏面側から見た状態を示す斜視図である。
【図１１】この発明の鞄用肩ベルトの滑り止め部材の断面図である。
【図１２】従来の鞄用肩ベルトの一例を示しており、この鞄用肩ベルトの使用者の身体に接する側の正面図である。
【図１３】図１２に示す従来の鞄用肩ベルトの断面図である。
【図１４】従来の鞄用肩ベルトの他の例を示しており、この鞄用肩ベルトがショルダーバッグに装着された状態を示す斜視図である。
【図１５】図１４に示す従来の鞄用肩ベルトの部分拡大図である。
【符号の説明】
【００３３】
１  滑り止め部材
２  ベルト本体
６  リブ
７  板状体
８  補強部
【図１】
2009142485.tif 000003
【図２】
2009142485.tif 000004
【図３】
2009142485.tif 000005
【図４】
2009142485.tif 000006
【図５】
2009142485.tif 000007
【図６】
2009142485.tif 000008
【図７】
2009142485.tif 000009
【図８】
2009142485.tif 000010
【図９】
2009142485.tif 000011
【図１０】
2009142485.tif 000012
【図１１】
2009142485.tif 000013
【図１２】
2009142485.tif 000014
【図１３】
2009142485.tif 000015
【図１４】
2009142485.tif 000016
【図１５】
2009142485.tif 000017